(57)【要約】【課題】入力操作部を備えるデバイスの視認性を向上させる。【解決手段】メイン表示装置２１０は、本体１０００の上面に、キーボードと、センサ付サブ表示装置２３０が取り付けられる枠体１０１０とが設けられており、枠体１０１０を本体１０００の上面に対して傾斜させ、該傾斜状態を保持するチルト機構１０２０をさらに備えている。チルト機構１０２０は、枠体１０１０に取り付けられたセンサ付サブ表示装置２３０における表示画面の法線方向外向きが、枠体１０１０に対するキーボードの側の反対側へ傾斜するように、枠体１０１０を傾斜させる。【選択図】図１
2010108450.tif 000002
【特許請求の範囲】
【請求項１】
ユーザからの情報を入力するための入力装置であって、
入力操作部を備えるデバイスが着脱自在に取り付けられる取付部材が、本体の表面に設けられており、
前記取付部材と前記本体とは、ヒンジ状に連結されており、
前記取付部材を前記本体の表面に対して傾斜状態に保持するためのチルト機構を備えることを特徴とする入力装置。
【請求項２】
前記取付部材は、前記本体に収容可能となっていることを特徴とする請求項１に記載の入力装置。
【請求項３】
前記チルト機構は、前記本体の表面と、前記取付部材に取り付けられた前記デバイスとのなす角度である傾斜角が所定の範囲内である場合、前記傾斜状態を保持可能であることを特徴とする請求項１に記載の入力装置。
【請求項４】
前記チルト機構は、前記傾斜角が前記所定の範囲内である場合、任意の前記傾斜角で前記傾斜状態を保持可能であることを特徴とする請求項３に記載の入力装置。
【請求項５】
前記取付部材に取り付けられた前記デバイスを、前記傾斜角が増大する方向に付勢する付勢部材をさらに備えることを特徴とする請求項３に記載の入力装置。
【請求項６】
前記付勢部材は、導体であり、かつ、前記デバイスの電力供給用端子に当接可能に設けられていることを特徴とする請求項５に記載の入力装置。
【請求項７】
前記デバイスは、表示パネルと、前記入力操作部としてのタッチパッドとを備えたタッチパネルであることを特徴とする請求項１に記載の入力装置。
【請求項８】
前記タッチパッドは、前記表示パネルにおける複数の画素の一部または全部に内蔵された光センサであることを特徴とする請求項７に記載の入力装置。
【請求項９】
前記取付部材には、前記表示パネルからの光を透過させるための透明板が設けられていることを特徴とする請求項８に記載の入力装置。
【発明の詳細な説明】
【技術分野】
【０００１】
本発明は、ユーザからの情報を入力するための入力装置に関するものである。
【背景技術】
【０００２】
通常、上記入力装置には、上記ユーザがキー操作を行って前記情報を入力するためのキーボードが設けられている。また、上記入力装置には、上記キーボードの設置面に、入力操作部を備えるタッチパッドなどのポインティングデバイスが設けられていることが多い。
【０００３】
近時、上記ポインティングデバイスの多機能化が進展してきている。例えば、特許文献１〜３には、タッチパッド、ＬＣＤ、およびバックライトを有する表示一体型のポインティングデバイスが記載されている。さらに、特許文献４には、表示一体型のポインティングデバイスが、ノート型ＰＣ（Personal Computer）に対し着脱可能である構成が記載されている。
【特許文献１】特開２００４−００５１０５（２００４年１月８日公開）
【特許文献２】特開２００４−００５２１２（２００４年１月８日公開）
【特許文献３】特開２００４−２３４５０４（２００４年８月１９日公開）
【特許文献４】特開２０００−３３９０９７（２０００年１２月８日公開）
【発明の開示】
【発明が解決しようとする課題】
【０００４】
一般に、上記キーボードおよび上記ポインティングデバイスは、ユーザが手で操作し易いように、上記キーボードの設置面（操作面）を水平にして、或いは水平から稍傾斜させて利用されている。このため、タッチパッドなどの上記ポインティングデバイスにおいて、ユーザが操作する領域である操作領域には、太陽、照明などの光源からの光が移り込んで、視認性が悪化し易い。このことは、表示一体型のポインティングデバイスにおける表示画面において特に問題となる。
【０００５】
本発明は、上記の問題点に鑑みてなされたものであり、その目的は、入力操作部を備えるデバイスの視認性を向上させることができる入力装置を提供することにある。
【課題を解決するための手段】
【０００６】
本発明に係る入力装置は、ユーザからの情報を入力するための入力装置であって、上記課題を解決するために、入力操作部を備えるデバイスが着脱自在に取り付けられる取付部材が、本体の表面に設けられており、前記取付部材と前記本体とは、ヒンジ状に連結されており、前記取付部材を前記本体の表面に対して傾斜状態に保持するためのチルト機構を備えることを特徴としている。
【０００７】
上記の構成によると、取付部材は、チルト機構によって本体の表面に対して傾斜状態に保持される。従って、入力操作部を備えるデバイスが取付部材に取り付けられると、上記デバイスも、上記本体の表面に対して傾斜状態に保持されることになる。これにより、上記デバイスの入力操作部の操作面は、上記本体の表面よりもユーザと対向させることができるので、上記デバイスの視認性を向上させることができる。
【０００８】
また、上記取付部材には、上記デバイスが着脱自在に取り付けられるので、上記デバイスを単体で利用することができ、ユーザの利便性が向上する。
【０００９】
なお、上記チルト機構は、上記入力操作部の操作面の法線方向外向きが、ユーザの位置する側に傾斜するように、上記取付部材を傾斜させることが好ましい。この場合、上記入力操作部の操作面が、上記本体の表面よりもユーザと確実に対向するので、上記デバイスの視認性を確実に向上させることができる。
【００１０】
また、上記取付部材は、上記本体の端部にてヒンジ状に連結されることが好ましい。この場合、上記取付部材および上記本体が開いた状態になると、上記取付部材が上記本体から離間するので、上記取付部材に上記デバイスを取り付ける動作が上記本体によって制約されることを防止できる。また、上記チルト機構が上記取付部材を傾斜状態に保持する機構としては、歯車を利用した機構、摩擦を利用した機構など、公知の種々の機構を利用することができる。
【００１１】
本発明に係る入力装置では、前記取付部材は、前記本体に収容可能となっていることが好ましい。この場合、上記チルト機構による傾斜を行わないとき、上記デバイスを収容した上記取付部材が上記本体に収容されることにより、上記取付部材および上記デバイスが上記本体からはみ出し、他の部材と衝突して破損することを防止できる。
【００１２】
本発明に係る入力装置では、前記チルト機構は、前記本体の表面と、前記取付部材に取り付けられた前記デバイスとのなす角度である傾斜角が所定の範囲内である場合、前記傾斜状態を保持可能であることが好ましい。この場合、上記傾斜角が所定の範囲外に傾斜して保持されることにより、上記取付部材および上記デバイスが他の部材と衝突して破損することを防止できる。
【００１３】
本発明に係る入力装置では、前記チルト機構は、前記傾斜角が前記所定の範囲内である場合、任意の前記傾斜角で前記傾斜状態を保持可能であってもよい。この場合、ユーザが所望する傾斜角で上記デバイスの傾斜状態を保持できるので、ユーザの利便性が向上する。
【００１４】
本発明に係る入力装置では、前記取付部材に取り付けられた前記デバイスを、前記傾斜角が増大する方向に付勢する付勢部材をさらに備えてもよい。この場合、上記傾斜角が上記所定の範囲外となると、上記傾斜状態を保持しなくなるので、例えば水平方向など、構造上の限界まで回転することになる。これにより、上記傾斜角が所定の範囲外に傾斜して保持されることにより、上記取付部材および上記デバイスが他の部材と衝突して破損する可能性を低減することができる。
【００１５】
なお、上記付勢部材の例としては、バネ、ゴムなどの弾性体が挙げられる。また、上記付勢部材は、上記デバイスを収容する上記取付部材に上記デバイスを付勢することが望ましい。この場合、上記デバイスが上記取付部材から脱落することを防止できる。
【００１６】
本発明に係る入力装置では、前記付勢部材は、導体であり、かつ、前記デバイスの電力供給用端子に当接可能に設けられていてもよい。この場合、上記付勢部材が、上記本体から上記デバイスへの電力供給路も兼ねるので、部品点数を減らすことができる。また、上記デバイスは、上記取付部材に取り付けられると電力が供給され、上記取付部材から取り外されると電力の供給が停止されるので、着脱時の安全を確保することができる。なお、上記付勢部材は、上記本体と上記取付部材とを連結するヒンジなどの連結部材に接続して、連結部材から電力が供給されてもよい。
【００１７】
本発明に係る入力装置では、前記デバイスは、表示パネルと、前記入力操作部としてのタッチパッドとを備えたタッチパネルであってもよい。さらに、前記タッチパッドは、前記表示パネルにおける複数の画素の一部または全部に内蔵された光センサであってもよい。この場合、操作面の位置を検出するためのパネルを上記表示パネル上に設ける必要がないので、上記デバイスの厚さを低減できると共に、上記表示パネルからの光が、上記パネルを透過することによる表示画像の劣化を抑制することができる。
【００１８】
ここで、タッチパッドとは、操作面における或る位置を、指やペンなどで接触、接近、または押圧することにより、当該位置を検出するポインティングデバイスである。タッチパッドには、抵抗膜方式、静電容量方式など、公知の位置検出方法を利用することができる。
【００１９】
本発明に係る入力装置では、前記取付部材には、前記表示パネルからの光を透過させるための透明板が設けられていてもよい。この場合、上記デバイスの表示画面を保護することができる。また、上記タッチパッドは、上記表示パネルから出射した光が、指などの物体にて反射して上記光センサに到達することにより位置検出が行われるので、上記透明板が設けられても、位置検出が可能である。
【発明の効果】
【００２０】
以上のように、本発明に係る入力装置は、上記取付部材に取り付けられた上記デバイスを上記チルト機構が傾斜状態に保持することにより、上記デバイスの入力操作部の操作面が、上記本体の表面よりもユーザと対向させることができるので、上記デバイスの視認性を向上させることができるという効果を奏する。
【発明を実施するための最良の形態】
【００２１】
本発明の一実施形態について、図１〜図２０を参照して説明する。
【００２２】
（２画面表示装置の概要）
２画面表示装置２００は、データの表示が可能な液晶パネル３１１を備えるメイン表示装置（入力装置）２１０と、データの表示に加え、近傍の対象物の画像検出が可能なセンサ内蔵液晶パネル３０１（後述する）を備えるセンサ付きサブ表示装置（デバイス）２３０とを有する装置である。
【００２３】
メイン表示装置２１０とセンサ付きサブ表示装置２３０とは、着脱可能な構成となっている。そして、メイン表示装置２１０にセンサ付きサブ表示装置２３０が装着されている場合、相互に有線通信可能な状態となり、互いに相手側の装置に「装置間コマンド」を送信することによって、相手側の装置を制御可能な構成となっている。装置間コマンドの詳細については後述する。
【００２４】
なお、メイン表示装置２１０およびセンサ付きサブ表示装置２３０は、それぞれ、自装置を制御する制御部を備えている。そのため、メイン表示装置２１０とセンサ付きサブ表示装置２３０とを分離した状態では、それぞれ単体で動作可能である。
【００２５】
図２を参照しながら、２画面表示装置２００の具体例について説明する。図２（ａ）は、２画面表示装置２００の具体例を示す模式図である。図示のように、本実施の形態では、２画面表示装置２００として、従来のタッチパッドの代わりにセンサ付きサブ表示装置２３０を内部に備える、ノートＰＣ（Personal Computer）を想定している。この場合、センサ付きサブ表示装置２３０以外の部分（表示部３１０やキーボード９２０を含む部分）が、メイン表示装置２１０に相当する。なお、図２（ａ）に示した状態は、メイン表示装置２１０の内部にセンサ付きサブ表示装置２３０が装着されている状態である。メイン表示装置２１０のタッチパッドに相当する部分は透明であり、ユーザは、内部に装着されたセンサ付きサブ表示装置２３０のセンサ内蔵液晶パネル（入力操作部）３０１を操作できるようになっている。
【００２６】
図２（ｂ）は、図２（ａ）に示したノートＰＣにおいて、センサ付きサブ表示装置２３０をメイン表示装置２１０の内部から取り出してメイン表示装置２１０とセンサ付きサブ表示装置２３０とを分離した状態を示す模式図である。上述したように、メイン表示装置２１０およびセンサ付きサブ表示装置２３０は、それぞれ単体でも動作可能であるので、この状態では、メイン表示装置２１０は、タッチパッド機能が無いノートＰＣとして動作することが可能である。また、センサ付きサブ表示装置２３０は、例えば、センサ内蔵液晶パネル３０１を備えるリモコンやＰＤＡ（Personal Digital Assistant）などとして動作することができる。
【００２７】
（発明の概要）
メイン表示装置２１０では、キーボード９２０が設けられた本体１０００と、液晶パネル３１１が設けられた蓋体１００１とがヒンジ状に連結されている。そして、本体１０００には、サブ表示装置２３０を着脱可能に収容する枠体（取付部材）１０１０が設けられている。図２（ａ）に示すように、枠体１０１０は、本体１０００に収容可能となっている。また、枠体１０１０の上面には、上述のように、透明板１０１１が設けられている。
【００２８】
図１は、図２（ａ）の要部をＡ−Ａ線に沿って断面し、矢印方向に見た図であり、枠体１０１０に関する構成を示している。図示のように、枠体１０１０を本体１０００の上面に対して傾斜させ、該傾斜状態を保持するチルト機構１０２０が、本体１０００に設けられている。チルト機構１０２０は、本体１０００と枠体１０１０とを連結するヒンジ１０２１と、サブ表示装置２３０を枠体１０１０に付勢する板バネ（付勢部材）１０２２と、上記傾斜状態を保持するための保持機構１０２３とを含んでいる。
【００２９】
ヒンジ１０２１は、本体１０００の先端部１０００ａに設けられている。枠体１０１０は、ヒンジ１０２１を軸として、本体１０００の収容位置から１８０°回動可能となっている。以下、本体１０００の収容位置を単に「収容位置」と称し、収容位置から１８０°回転した位置を「全開位置」と称する。
【００３０】
枠体１０１０は、全開位置に到達すると、本体１０００から離間した状態となり、透明板１０１１が底部となり、上面にサブ表示装置２３０が露出した状態となる。従って、サブ表示装置２３０を枠体１０１０に着脱することが容易となる。
【００３１】
板バネ１０２２は、基端がヒンジ１０２１に取り付けられており、全開位置から収容位置に回転するにつれて撓んで、付勢力が増大する構成となっている。これにより、枠体１０１０を回転させても、サブ表示装置２３０が枠体１０１０から脱落することを防止できる。
【００３２】
また、板バネ１０２２は、導電性を有しており、先端近くが枠体１０１０の方へ湾曲して、サブ表示装置２３０の電力供給端子１０２４に当接している。これにより、サブ表示装置２３０が枠体１０１０に収容されていると、本体１０００からヒンジ１０２１および板バネ１０２２を介してサブ表示装置２３０に電力を供給することができる。
【００３３】
なお、板バネ１０２２は、電力供給端子１０２４以外にも、信号用端子に当接して、信号の送受信を行うこともできる。また、上記電力供給および上記信号の送受信を行わないのであれば、板バネ１０２２は、絶縁性であってもよい。さらに、板バネ１０２２以外のコイルバネ、ゴムなどの弾性体を利用することもできる。
【００３４】
保持機構１０２３は、板バネ１０２２の中央から、ヒンジ１０２１の閉じる方向に突出した突出板１０３０と、本体１０００に設けられ、突出板１０３０に当接する当接部１０３１とを含んでいる。
【００３５】
図１７（ａ）・（ｂ）は、当接部１０３１の構造を示しており、図１の側方から見た図に対応する。当接部１０３１は、突出板１０３０を両側から当接する２つの当接子１０３２と、突出板１０３０を当接する方向に、２つの当接子１０３２をそれぞれ付勢する２つのコイルバネ１０３３とを含んでいる。当接子１０３２は、突出板１０３０から遠ざかるにつれて裾が広がる構造となっている。これにより、突出板１０３０が２つの当接子に挿入されることが容易となる。
【００３６】
図１７（ａ）・（ｂ）は、それぞれ、突出板１０３０が当接子１０３２の間に挿入されていない状態と、挿入されている状態とを示している。図示のように、突出板１０３０が当接子１０３２の間に挿入されると、突出板１０３０の両側から当接子１０３２が当接する。当接子１０３２から突出板１０３０へは、コイルバネ１０３３による付勢力が働くため、突出板１０３０を移動させようとすると摩擦力が働くことになる。
【００３７】
本実施形態では、板バネ１０２２による付勢力よりも、当接部１０３１による摩擦力の方が大きくなっている。従って、上記摩擦力により突出板１０３０が保持されることになる。また、突出板１０３０が当接子１０３２の間に挿入されていれば、上記摩擦力により任意の位置に保持することができる。従って、突出板１０３０が当接子１０３２の間に挿入されるような枠体１０１０の範囲Ｈ（図１参照）では、任意の位置に枠体１０１０が保持されることになる。その結果、ユーザの利便性が向上する。
【００３８】
一方、図１７（ａ）に示すように、突出板１０３０が当接子１０３２の間に挿入されていない状態では、上記摩擦力が働かず、板バネ１０２２による付勢力のみが働く。従って、突出板１０３０が当接子１０３２の間に挿入されていないような枠体１０１０の範囲Ｒ（図１参照）では、枠体１０１０は、板バネ１０２２の付勢力により全開位置にまで回転することになる。すなわち、上記範囲Ｒに枠体１０１０が保持されることは無い。
【００３９】
なお、突出板１０３０および当接子１０３２は導電性を有しており、本体１０００から当接子１０３２、突出板１０３０、および板バネ１０２２を介して、サブ表示装置２３０の電力供給端子１０２４に電力供給を行ってもよい。この場合、サブ表示装置２３０が利用されない全開位置では、電力供給が停止されるので、電力消費量を低減することができる。また、保持機構１０２３としては、他にも歯車を利用するなど、種々の機構が考えられる。
【００４０】
図１８は、本体１０００と蓋体１００１とを閉じるときに、蓋体１００１と枠体１０１０とが衝突する状況を示している。この場合でも、蓋体１００１と枠体１０１０とのなす角度が鈍角であれば、蓋体１００１と枠体１０１０との衝撃力が、枠体１０１０を収容位置に回転する力に変換されるので、上記衝突による破損を防止することができる。このことから、枠体１０１０が傾斜可能な範囲Ｈでは、枠体１０１０と蓋体１００１とが接触したときに両者のなす角度が鈍角であることが望ましい。
【００４１】
図１９および図２０（ａ）〜（ｃ）は、サブ表示装置２３０を枠体１０１０に取り付けて、枠体１０１０を本体１０００に収容する様子を示している。これらの動作は、ユーザによって行われる。
【００４２】
まず、図１９および図２０（ａ）に示すように、枠体１０１０を全開位置に移動させる。次に、サブ表示装置２３０の表示画面を底面とし、メイン表示装置２１０の側を下方に傾斜させて、枠体１０１０に接触させ、メイン表示装置２１０の側に滑らせて、図２０（ｂ）に示すように、メイン表示装置２１０を枠体１０１０に収容させる。
【００４３】
そして、枠体１０１０を回転させることにより、図２０（ｃ）に示すように、枠体１０１０およびサブ表示装置２３０が本体１０００に収容される。この場合、枠体１０１０およびサブ表示装置２３０が本体の上面からはみ出していないので、他の部材と衝突して破損することを防止できる。
【００４４】
（センサ内蔵液晶パネルの概要）
上述したように、センサ付きサブ表示装置２３０が備えるセンサ内蔵液晶パネル３０１は、データの表示に加え、近傍の対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００４５】
図３を参照しながら、センサ内蔵液晶パネル３０１の構造について説明する。図３は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００４６】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００４７】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００４８】
次に、図４（ａ）および図４（ｂ）を参照しながら、ユーザが、指やペンで、センサ内蔵液晶パネル３０１上をタッチした場合を例に挙げ、そのタッチした位置を検出する２種類の方法について説明する。
【００４９】
図４（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００５０】
また、図４（ｂ）は、影像を検知することにより、ユーザがタッチした位置を検出する様子を示す模式図である。図４（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００５１】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００５２】
（メイン表示装置およびセンサ付きサブ表示装置の要部構成）
次に、図５を参照しながら、メイン表示装置２１０およびセンサ付きサブ表示装置２３０の要部構成について説明する。図５は、メイン表示装置２１０およびセンサ付きサブ表示装置２３０の要部構成を示すブロック図である。
【００５３】
（センサ付きサブ表示装置の要部構成）
まず、センサ付きサブ表示装置２３０の要部構成について説明する。図示のように、センサ付きサブ表示装置２３０は、表示／光センサ部３３０、表示／光センサ回路制御部６３０、データ処理部７３０、サブ側主制御部８３０、記憶部９３１、一次記憶部９３２、通信制御部９３３、有線通信部９３４、近距離無線通信部９３５、電界強度検出部９３６、バッテリー９３７、および電源切替部９３８を備えている。
【００５４】
表示／光センサ部３３０は、いわゆる光センサ内蔵液晶表示装置である。表示／光センサ部３３０は、センサ内蔵液晶パネル３０１、バックライト３０７、それらを駆動するための周辺回路３０９を含んで構成される。表示／光センサ部３３０の詳細な構成については後述する。
【００５５】
次に、表示／光センサ回路制御部６３０は、表示／光センサ部３３０の周辺回路３０９を制御するデバイスドライバとしての機能を備えるものである。表示／光センサ回路制御部６３０の詳細な構成については後述する。
【００５６】
次に、データ処理部７３０は、サブ側主制御部８３０から受信する「サブ表示装置内コマンド」に基づいて、表示／光センサ回路制御部６３０に指示を与えるミドルウェアとしての機能を備えるものである。データ処理部７３０の詳細な構成については後述する。また、サブ表示装置内コマンドの詳細についても後述する。
【００５７】
次に、サブ側主制御部８３０は、センサ付きサブ表示装置２３０が備える各部の動作を制御するものである。サブ側主制御部８３０は、記憶部９３１に記憶されている各種プログラムを読み出して、センサ付きサブ表示装置２３０の各部を制御し、センサ付きサブ表示装置２３０が備える各種機能を実現する。
【００５８】
サブ側主制御部８３０は、センサ内蔵液晶パネル３０１に表示データを表示させたり、センサ内蔵液晶パネル３０１にて対象物のスキャンを行なわせるために、データ処理部７３０に対して、サブ表示装置内コマンドおよび表示データを送信する。なお、サブ表示装置内コマンドに「データ種別」を指定した場合は、当該サブ表示装置内コマンドの応答として、全体画像データ、部分画像データ、および座標データの少なくともいずれか１つを、データ処理部７３０から受信する。
【００５９】
また、サブ側主制御部８３０は、メイン表示装置２１０からの制御を受け付ける。具体的には、メイン表示装置２１０のメイン側主制御部８１０が送信した装置間コマンドを受信し、当該受信した装置間コマンドの種類に応じて、下記（１）から（３）のいずれかに示す処理を実行する。
【００６０】
まず、（１）受信した装置間コマンドが、表示／光センサ部３３０の近傍に位置する対象物のスキャンを行なわせることを指定する「スキャンコマンド」（詳細は後述する）である場合、サブ側主制御部８３０は、当該受信したスキャンコマンドを、サブ表示装置内コマンドに変換するとともに、当該変換後のサブ表示装置内コマンドをデータ処理部７３０に送信する。なお、上記変換は、スキャンコマンドから「第０」フィールド（後述する）を取り除くことにより行なわれる。
【００６１】
なお、サブ側主制御部８３０は、上記変換後のサブ表示装置内コマンドの応答として、全体画像データ、部分画像データ、および座標データの少なくともいずれか１つをデータ処理部７３０から受信した場合、当該受信したデータを、メイン側主制御部８１０に送信する。
【００６２】
次に、（２）受信した装置間コマンドが、表示／光センサ部３３０に、写真やアイコンなどの画像データの表示を行なわせることを指定する「表示コマンド」（詳細は後述する）である場合、サブ側主制御部８３０は、当該表示コマンドに指定された情報に基づいて表示データを生成するとともに、当該生成した表示データをデータ処理部７３０に送信する。
【００６３】
次に、（３）受信した装置間コマンドが、所定処理を実行させることを指定する「処理コマンド」（詳細は後述する）である場合、サブ側主制御部８３０は、当該処理コマンドに指定された所定処理を実行する。
【００６４】
サブ側主制御部８３０が実行する上記所定処理とは、例えば、データ処理部７３０から得られた画像データに対する文字認識処理や画像処理、センサ付きサブ表示装置２３０の通信制御部９３３を用いた通信接続処理やファイル転送処理など、センサ付きサブ表示装置２３０が有する各種アプリケーションやミドルウェア等の実行処理である。
【００６５】
さらに、サブ側主制御部８３０は、メイン表示装置２１０に対して所定処理の実行を指示する。具体的には、処理コマンドとしての装置間コマンドを、メイン表示装置２１０のメイン側主制御部８１０に送信する。メイン側主制御部８１０が実行する上記所定処理とは、例えば、メイン表示装置２１０のＯＳ（Operating System）の起動処理、メイン表示装置２１０の通信制御部９１３を用いた通信接続処理やファイル転送処理などの、メイン表示装置２１０が有する各種アプリケーションやミドルウェア等の実行処理である。
【００６６】
なお、表示／光センサ回路制御部６３０、データ処理部７３０、およびサブ側主制御部８３０は、それぞれ、ＣＰＵ（Central Processing Unit）およびメモリ等で構成することができる。また、データ処理部７３０は、ＡＳＩＣ（application specific integrate circuit）などの回路で構成されていてもよい。
【００６７】
次に、記憶部９３１は、サブ側主制御部８３０が実行する（１）各部の制御プログラム、（２）ＯＳプログラム、（３）アプリケーションプログラム、および、（４）これらプログラムを実行するときに読み出す各種データを記録するものである。記憶部９３１は、フラッシュメモリなどの不揮発性の記憶装置によって構成される。
【００６８】
一次記憶部９３２は、ＲＡＭ（Random Access Memory）などの揮発性の記憶装置によって構成されるものであり、サブ側主制御部８３０が上述の各種プログラムを実行する過程でデータを一時的に保持するための作業領域として使用される。
【００６９】
次に、通信制御部９３３は、センサ付きサブ表示装置２３０が、メイン表示装置２１０と通信を行なうための有線通信部９３４、並びに、メイン表示装置２１０および図示しない外部装置のいずれかと通信を行なうための近距離無線通信部９３５を制御するものである。
【００７０】
すなわち、通信制御部９３３は、メイン表示装置２１０から、有線通信部９３４および近距離無線通信部９３５のいずれかを介して送信される装置間コマンドおよび各種データをサブ側主制御部８３０に送信する。また、通信制御部９３３は、サブ側主制御部８３０からの指示に応じて、サブ側主制御部８３０から送信される装置間コマンドおよび各種データを、有線通信部９３４および近距離無線通信部９３５のいずれかを介して、メイン表示装置２１０へ送信する。
【００７１】
また、通信制御部９３３は、近距離無線通信部９３５を介して、外部装置との間で各種データをやりとりする。
【００７２】
有線通信部９３４は、メイン表示装置２１０の有線通信部９１４と接続可能な構成となっている。本実施の形態では、有線通信部９３４と、メイン表示装置２１０の有線通信部９１４とは、ＵＳＢ（universal serial bus）接続されることを想定している。
【００７３】
そして、接続時には、有線通信部９３４は、通信線を用いて、メイン表示装置２１０の有線通信部９１４と相互に信号の送受信が可能であるとともに、電力線を用いて、メイン表示装置２１０の有線通信部９１４から電力の供給を受けることができる。そして、メイン表示装置２１０の有線通信部９１４から電力の供給を受けると、有線通信部９３４は、電源切替部９３８へ電力を供給する。
【００７４】
近距離無線通信部９３５は、メイン表示装置２１０の近距離無線通信部９１５との間、および、外部装置との間で形成される無線通信経路を用いて、相互に通信可能な構成となっている。本実施の形態では、上記無線通信経路に、Ｂｌｕｅｔｏｏｔｈ（登録商標）（以下、単にＢｌｕｅｔｏｏｔｈと表記する）通信を適用することを想定している。すなわち、近距離無線通信部９３５は、Ｂｌｕｅｔｏｏｔｈ通信にて信号の送受信を行なうことのできる通信部である。なお、上記無線通信経路は、信号の送受信を行なえるものであればよく、ＩＥＥＥ８０２．１１無線やＺｉｇＢｅｅ（登録商標）等を適用してもよい。
【００７５】
次に、電界強度検出部９３６は、サブ側主制御部８３０からの指示に応じて、近距離無線通信部９３５が受信する信号の強度（ＲＳＳＩ（Received Signal Strength Indication）：受信電界強度）を検出するものである。そして、当該検出の結果を、サブ側主制御部８３０に送信する。
【００７６】
次に、電源切替部９３８は、有線通信部９３４がメイン表示装置２１０の有線通信部９１４から電力の供給を受けている場合、センサ付きサブ表示装置２３０が備える各部に、メイン表示装置２１０から供給されている電力を供給する。一方、有線通信部９３４がメイン表示装置２１０の有線通信部９１４から電力の供給を受けていない場合、電源切替部９３８は、センサ付きサブ表示装置２３０が備える各部に、バッテリー９３７の電力を供給する。
【００７７】
（メイン表示装置の要部構成）
次に、メイン表示装置２１０の要部構成について説明する。図示のように、メイン表示装置２１０は、表示部３１０、表示回路制御部６１０、表示データ処理部７１０、メイン側主制御部８１０、記憶部９１１、一次記憶部９１２、通信制御部９１３、有線通信部９１４、近距離無線通信部９１５、有線／無線ネットワーク通信部９１６、電源９１７、操作部９１９、音声出力部９２４、および音声入力部９２５を備えている。
【００７８】
表示部３１０は、データを表示するためのものであって、液晶パネル３１１、バックライト３１７、それらを駆動するための周辺回路３１９を含んで構成される。表示回路制御部６１０は、周辺回路３１９を制御するデバイスドライバとしての機能を備えるものである。表示データ処理部７１０は、メイン側主制御部８１０から受信する表示データに基づいて、表示回路制御部６１０に指示を与えるミドルウェアとしての機能を備えるものである。なお、表示部３１０、表示回路制御部６１０、および表示データ処理部７１０は、一般的に知られている技術を用いて構成することができる。
【００７９】
次に、メイン側主制御部８１０は、メイン表示装置２１０が備える各部の動作を制御するものである。メイン側主制御部８１０は、記憶部９１１に記憶されている各種プログラムを読み出して、メイン表示装置２１０の各部を制御し、メイン表示装置２１０が備える各種機能を実現する。
【００８０】
また、メイン側主制御部８１０は、センサ付きサブ表示装置２３０のサブ側主制御部８３０に装置間コマンドを送信し、センサ付きサブ表示装置２３０に所定処理を実行させる。なお、装置間コマンドの一つであるスキャンコマンドに「データ種別」（後述する）を指定した場合は、当該コマンドの応答として、全体画像データ、部分画像データ、および座標データの少なくともいずれか１つを、サブ側主制御部８３０から受信する。
【００８１】
また、メイン側主制御部８１０は、センサ付きサブ表示装置２３０のサブ側主制御部８３０から装置間コマンドの一つである処理コマンドを受信し、当該受信した装置間コマンドに指定された所定処理（ＯＳの起動処理、各種アプリケーションやミドルウェア等の実行処理）を行なう。
【００８２】
なお、表示回路制御部６１０、表示データ処理部７１０、およびメイン側主制御部８１０は、それぞれ、ＣＰＵおよびメモリ等で構成することができる。
【００８３】
次に、記憶部９１１は、メイン側主制御部８１０が実行する（１）各部の制御プログラム、（２）ＯＳプログラム、（３）アプリケーションプログラム、および、（４）これらプログラムを実行するときに読み出す各種データを記録するものである。記憶部９１１は、フラッシュメモリなどの不揮発性の記憶装置によって構成される。
【００８４】
一次記憶部９１２は、ＲＡＭなどの揮発性の記憶装置によって構成されるものであり、メイン側主制御部８１０が上述の各種プログラムを実行する過程でデータを一時的に保持するための作業領域として使用される。
【００８５】
通信制御部９１３は、メイン表示装置２１０が、センサ付きサブ表示装置２３０と通信を行なうための有線通信部９１４、センサ付きサブ表示装置２３０および図示しない外部装置と通信を行なうための近距離無線通信部９１５、並びに、図示しない外部装置と通信を行なうための有線／無線ネットワーク通信部９１６を制御するものである。
【００８６】
すなわち、通信制御部９１３は、センサ付きサブ表示装置２３０から、有線通信部９１４および近距離無線通信部９１５のいずれかを介して送信される装置間コマンドおよび各種データをメイン側主制御部８１０に送信する。また、通信制御部９１３は、メイン側主制御部８１０からの指示に応じて、メイン側主制御部８１０から送信される装置間コマンドおよび各種データを、有線通信部９１４および近距離無線通信部９１５のいずれかを介して、センサ付きサブ表示装置２３０へ送信する。
【００８７】
また、通信制御部９３３は、近距離無線通信部９３５および有線／無線ネットワーク通信部９１６のいずれかを介して、外部装置との間で各種データをやりとりする。
【００８８】
有線通信部９１４は、上述したように、センサ付きサブ表示装置２３０の有線通信部９３４と接続可能な構成となっており、有線通信部９１４と、センサ付きサブ表示装置２３０の有線通信部９３４とは、ＵＳＢ接続されることを想定している。
【００８９】
近距離無線通信部９１５は、センサ付きサブ表示装置２３０の近距離無線通信部９３５との間、および、外部装置との間で形成される無線通信経路を用いて、相互に通信可能な構成となっており、上記無線通信経路には、Ｂｌｕｅｔｏｏｔｈ通信を適用することを想定している。すなわち、近距離無線通信部９１５は、Ｂｌｕｅｔｏｏｔｈ通信にて信号の送受信を行なうことのできる通信部である。
【００９０】
有線／無線ネットワーク通信部９１６は、外部の通信ネットワークと通信可能に接続される構成となっており、外部装置との間で通信を行なうものである。上記通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【００９１】
電源９１７は、メイン表示装置２１０が備える各部に電力を供給するものである。また、有線通信部９１４がセンサ付きサブ表示装置２３０の有線通信部９３４と接続されているときは、有線通信部９１４を介して、センサ付きサブ表示装置２３０へも電力を供給する。なお、電源のオン／オフは、ユーザが電源スイッチ９２２を操作することによって、切り替えることができる。
【００９２】
次に、操作部９１９は、メイン表示装置２１０のユーザの入力操作を受け付けるものである。操作部９１９は、例えば、キーボード９２０、スイッチ、マウス、リモコンなどの入力デバイスで構成される。そして、操作部９１９は、メイン表示装置２１０のユーザの入力操作に応じた制御信号を生成し、該生成した制御信号をメイン側主制御部８１０へ送信する。
【００９３】
なお、上記スイッチの例としては、メイン表示装置２１０の筐体のヒンジ部分に設けられ、筐体の開閉状態を検出するヒンジ部スイッチ９２１、電源のオン／オフを切り替える電源スイッチ９２２、予め所定の機能が割り当てられているユーザスイッチ９２３などのハードウェアスイッチを想定している。
【００９４】
その他、メイン表示装置２１０は、音声を出力するためのスピーカ等の音声出力部９２４、音声信号を入力するためのマイク等の音声入力部９２５を備えている。
【００９５】
（センサ付きサブ表示装置の詳細な構成）
次に、図６を参照しながら、センサ付きサブ表示装置２３０の表示／光センサ部３３０、表示／光センサ回路制御部６３０、およびデータ処理部７３０のより詳細な構成について説明する。図６は、表示／光センサ部３３０、表示／光センサ回路制御部６３０、およびデータ処理部７３０のより詳細な構成を示すブロック図である。
【００９６】
まず、表示／光センサ部３３０のより詳細な構成について説明する。図示のように、表示／光センサ部３３０は、センサ内蔵液晶パネル３０１、バックライト３０７、それらを駆動するための周辺回路３０９を含んで構成される。
【００９７】
センサ内蔵液晶パネル３０１は、マトリクス状に配置された複数の画素回路３１および光センサ回路３２を含んで構成される。センサ内蔵液晶パネル３０１の詳細な構成については後述する。
【００９８】
周辺回路３０９は、液晶パネル駆動回路３０４、光センサ駆動回路３０５、信号変換回路３０６、バックライト駆動回路３０８を含む。
【００９９】
液晶パネル駆動回路３０４は、表示／光センサ回路制御部６３０の液晶パネル制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【０１００】
光センサ駆動回路３０５は、表示／光センサ回路制御部６３０のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【０１０１】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【０１０２】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【０１０３】
バックライト駆動回路３０８は、表示／光センサ回路制御部６３０のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【０１０４】
次に、表示／光センサ回路制御部６３０について説明する。表示／光センサ回路制御部６３０は、液晶パネル制御部６０１、センサ制御部６０２、バックライト制御部６０３、および表示データ記憶部６０４を備えている。
【０１０５】
液晶パネル制御部６０１は、データ処理部７３０の表示データ処理部７０１から表示データを受信するとともに、表示データ処理部７０１からの指示に従って、表示／光センサ部３３０の液晶パネル駆動回路３０４に、タイミング制御信号（ＴＣ１）およびデータ信号（Ｄ）を送信し、上記受信した表示データをセンサ内蔵液晶パネル３０１に表示させる。
【０１０６】
なお、液晶パネル制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【０１０７】
センサ制御部６０２は、データ処理部７３０のセンサデータ処理部７０３からの指示に従って、表示／光センサ部３３０の光センサ駆動回路３０５に、タイミング制御信号（ＴＣ２）を送信し、センサ内蔵液晶パネル３０１にてスキャンを実行させる。
【０１０８】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【０１０９】
バックライト制御部６０３は、表示データ処理部７０１およびセンサデータ処理部７０３からの指示に従って、表示／光センサ部３３０のバックライト駆動回路３０８に制御信号（ＢＫ）を送信し、バックライト３０７を駆動させる。
【０１１０】
次に、データ処理部７３０について説明する。データ処理部７３０は、表示データ処理部７０１およびセンサデータ処理部７０３を備えている。
【０１１１】
表示データ処理部７０１は、サブ側主制御部８３０から表示データを受信するとともに、液晶パネル制御部６０１およびバックライト制御部６０３に指示を与え、上記受信した表示データをセンサ内蔵液晶パネル３０１に表示させる。
【０１１２】
センサデータ処理部７０３は、データ処理部７３０が受信したサブ表示装置内コマンドに従って、センサ制御部６０２およびバックライト制御部６０３に指示を与える。
【０１１３】
また、センサデータ処理部７０３は、センサ制御部６０２から画像データを受信し、当該画像データをそのまま画像データバッファ７０４に格納する。そして、センサデータ処理部７０３は、データ処理部７３０が受信したサブ表示装置内コマンドに従って、画像データバッファ７０４に記憶されている画像データに基づいて、「全体画像データ」、「部分画像データ（部分画像の座標データを含む）」、および「座標データ」の少なくともいずれか１つを、サブ側主制御部８３０に送信する。なお、全体画像データ、部分画像データ、および座標データについては、後述する。また、サブ表示装置内コマンドに応じた、センサデータ処理部７０３の動作については、後述する。
【０１１４】
（メイン表示装置の詳細な構成）
上述したように、メイン表示装置２１０の表示部３１０および表示回路制御部６１０は、一般的に知られている技術を用いて構成することができるが、図７を参照しながら、これらの構成例について簡単に説明する。図７は、表示部３１０および表示回路制御部６１０の構成例を示すブロック図である。
【０１１５】
表示部３１０は、マトリクス状に配置された複数の画素回路３８を含む液晶パネル３１１と、複数の白色ＬＥＤを含んでおり、液晶パネル３１１の背面に配置されるバックライト３１７と、それらを駆動するための周辺回路３１９とを含んで構成される。なお、バックライト３１７は、白色ＬＥＤに限らず、他の色のＬＥＤを含んでいてもよいし、ＬＥＤに代えて冷陰極管を含むものであってもよい。
【０１１６】
周辺回路３１９は、画素回路３８を駆動する液晶パネル駆動回路３１４、および、バックライト３１７に電源電圧を印加するバックライト駆動回路３１８を含む。なお、バックライト駆動回路３１８から電源電圧が印加されると、バックライト３１７は点灯し、液晶パネル３１１に光を照射する。
【０１１７】
次に、表示回路制御部６１０は、液晶パネル制御部６１１、バックライト制御部６１３、および表示データ記憶部６１４を備えている。
【０１１８】
液晶パネル制御部６１１は、表示データ処理部７１０から表示データを受信するとともに、表示データ処理部７１０からの指示に従って、液晶パネル駆動回路３１４に制御信号およびデータ信号を送信し、上記受信した表示データを液晶パネル３１１に表示させる。なお、液晶パネル制御部６１１は、表示データ処理部７１０から受信した表示データを、表示データ記憶部６１４（ＶＲＡＭなど）に一次記憶させ、当該一次記憶させた表示データに基づいて、データ信号を生成する。
【０１１９】
バックライト制御部６１３は、表示データ処理部７１０からの指示に従って、バックライト駆動回路３１８に制御信号を送信し、バックライト３１７を駆動させる。
【０１２０】
（サブ表示装置内コマンド）
次に、図８および図９を参照しながら、サブ側主制御部８３０からデータ処理部７３０に送信されるサブ表示装置内コマンドの詳細について説明する。図８は、サブ表示装置内コマンドのフレーム構造の一例を模式的に示す図である。また、図９は、サブ表示装置内コマンドに含まれる各フィールドに指定可能な値の一例、および、その概要を説明する図である。
【０１２１】
図８に示すように、サブ表示装置内コマンドは、「ヘッダ」、「データ取得タイミング」、「データ種別」、「スキャン方式」、「スキャン画像階調」、「スキャン解像度」、および「予備」の各フィールドを含んでいる。そして、各フィールドには、例えば、図９に示す値が指定可能である。
【０１２２】
「ヘッダ」フィールドは、サブ表示装置内コマンドのフレームの開始を示すフィールドである。フレームの開始であることが識別可能であれば、「ヘッダ」フィールドの値は、どのような値であってもよい。
【０１２３】
次に、「データ取得タイミング」フィールドは、センサデータ処理部７０３からデータを取得するタイミングを指定するフィールドである。「データ取得タイミング」フィールドには、例えば、“00”（センス）、“01”（イベント）、および“10”（オール）という値が指定可能である。
【０１２４】
ここで、“センス”は、センサデータ処理部７０３に対して、最新のデータを直ちに送信することを指定するものである。よって、センサデータ処理部７０３は、「データ取得タイミング」フィールドの値が“センス”であるサブ表示装置内コマンドを受信すると、「データ種別」フィールドにて指定されている最新のデータを、直ちに、サブ側主制御部８３０に送信する。
【０１２５】
また、“イベント”は、センサデータ処理部７０３に対して、センサ制御部６０２から受信する画像データに変化が生じたタイミングで送信することを指定するものである。よって、センサデータ処理部７０３は、「データ取得タイミング」フィールドの値が“イベント”であるサブ表示装置内コマンドを受信すると、「データ種別」フィールドにて指定されているデータを、センサ制御部６０２から受信する画像データに、所定の閾値より大きい変化が生じたタイミングで、サブ側主制御部８３０に送信する。
【０１２６】
また、“オール”は、センサデータ処理部７０３に対して、所定周期でデータを送信することを指定するものである。よって、センサデータ処理部７０３は、「データ取得タイミング」フィールドの値が“オール”であるサブ表示装置内コマンドを受信すると、「データ種別」フィールドにて指定されているデータを、所定周期で、サブ側主制御部８３０に送信する。なお、上記所定周期は、光センサ回路３２にてスキャンを行なう周期と一致する。
【０１２７】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができる。
【０１２８】
センサデータ処理部７０３は、「データ種別」フィールドの値が“全体画像”であるサブ表示装置内コマンドを受信すると、画像データバッファ７０４に記憶している画像データそのものをサブ側主制御部８３０に送信する。画像データバッファ７０４に記憶している画像データそのものを、「全体画像データ」と称する。
【０１２９】
また、センサデータ処理部７０３は、「データ種別」フィールドの値が“部分画像”であるサブ表示装置内コマンドを受信すると、センサ制御部６０２から受信する画像データから、所定の閾値より大きい変化が生じた部分を含む領域を抽出し、該抽出した領域の画像データをサブ側主制御部８３０に送信する。ここで、当該画像データを、「部分画像データ」と称する。
【０１３０】
なお、センサ制御部６０２から受信する画像データから、複数の部分画像データが抽出された場合、センサデータ処理部７０３は、該抽出された複数の部分画像データのそれぞれをサブ側主制御部８３０に送信する。したがって、例えば、ユーザが、複数の指やペンなどでセンサ内蔵液晶パネル３０１上の複数箇所を同時にタッチした場合、センサデータ処理部７０３は、該タッチした領域のそれぞれを部分画像データとして抽出し、サブ側主制御部８３０に送信する。
【０１３１】
さらに、センサデータ処理部７０３は、「データ種別」フィールドの値が“部分画像”であるサブ表示装置内コマンドを受信したとき、部分画像における代表点を検出し、当該代表点の部分画像における位置を示す代表座標の座標データをサブ側主制御部８３０に送信する。なお、上記代表点とは、例えば、上記部分画像データの中心、上記部分画像データの重心などが挙げられる。
【０１３２】
なお、センサ制御部６０２から受信する画像データから、複数の部分画像データが抽出された場合、センサデータ処理部７０３は、該抽出された複数の部分画像データのそれぞれの代表点を検出し、当該検出された各代表点の、部分画像における位置を示す代表座標の座標データをサブ側主制御部８３０に送信する。したがって、例えば、ユーザが、複数の指やペンなどでセンサ内蔵液晶パネル３０１上の複数箇所を同時にタッチした場合、センサデータ処理部７０３は、該タッチした各領域の代表点の、各領域における位置を示す代表座標の座標データを、サブ側主制御部８３０に送信する。
【０１３３】
次に、センサデータ処理部７０３は、「データ種別」フィールドの値が“座標”であるサブ表示装置内コマンドを受信すると、上記代表点の、全体画像データにおける位置を示す代表座標の座標データをサブ側主制御部８３０に送信する。
【０１３４】
なお、センサ制御部６０２から受信する画像データから、複数の部分画像データが抽出された場合、センサデータ処理部７０３は、該抽出された複数の部分画像のそれぞれの代表点の、全体画像における位置を示す代表座標の座標データをサブ側主制御部８３０に送信する。したがって、例えば、ユーザが、複数の指やペンなどでセンサ内蔵液晶パネル３０１上の複数箇所を同時にタッチした場合、センサデータ処理部７０３は、該タッチした各領域の代表点の、全体画像における位置を示す代表座標の座標データを、サブ側主制御部８３０に送信する。
【０１３５】
すなわち、センサ付きサブ表示装置２３０は、ユーザが指やペンなどでセンサ内蔵液晶パネル３０１をタッチした数に関わらず、該タッチした領域の代表点を検出することができる（多点検出）。そして、該検出された代表点の、部分画像における位置を示す代表座標の座標データ、および、全体画像における位置を示す代表座標の座標データをサブ側主制御部８３０にすることができる。
【０１３６】
なお、全体画像データ、部分画像データ、および座標データの具体例については、模式図を参照しながら後述する。
【０１３７】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【０１３８】
“反射”は、バックライト３０７を点灯した状態でスキャンを行なうことを指定するものである。よって、センサデータ処理部７０３は、「スキャン方式」フィールドの値が“反射”であるサブ表示装置内コマンドを受信すると、光センサ駆動回路３０５とバックライト駆動回路３０８とが同期して動作するように、センサ制御部６０２とバックライト制御部６０３とに指示を与える。
【０１３９】
また、“透過”は、バックライト３０７を消灯した状態でスキャンを行なうことを指定するものである。よって、センサデータ処理部７０３は、「スキャン方式」フィールドの値が“透過”であるサブ表示装置内コマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行なうことを指定するものである。
【０１４０】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【０１４１】
ここで、センサデータ処理部７０３は、「スキャン画像階調」フィールドの値が“２値”であるサブ表示装置内コマンドを受信すると、部分画像データおよび全体画像データをモノクロデータとして、サブ側主制御部８３０に送信する。
【０１４２】
また、センサデータ処理部７０３は、「スキャン画像階調」フィールドの値が“多値”であるサブ表示装置内コマンドを受信すると、部分画像データおよび全体画像データを多階調データとして、サブ側主制御部８３０に送信する。
【０１４３】
次に、「スキャン解像度」フィールドは、部分画像データおよび全体画像データの解像度を指定するフィールドである。「スキャン解像度」フィールドには、例えば、“0”（高）および“1”（低）という値が指定可能である。
【０１４４】
ここで、“高”は、高解像度を指定するものである。よって、センサデータ処理部７０３は、「スキャン解像度」フィールドの値が“高”であるサブ表示装置内コマンドを受信すると、部分画像データおよび全体画像データを高解像度でサブ側主制御部８３０に送信する。例えば、画像認識などの画像処理を行なう対象の画像データ（指紋などの画像データ）には、“高”を指定することが望ましい。
【０１４５】
また、“低”は、低解像度を指定するものである。よって、センサデータ処理部７０３は、「スキャン解像度」フィールドの値が“低”であるサブ表示装置内コマンドを受信すると、部分画像データおよび全体画像データを低解像度でサブ側主制御部８３０に送信する。例えば、タッチした位置等が分かる程度でよい画像データ（タッチした指や手の画像データなど）には、“低”を指定することが望ましい。
【０１４６】
次に、「予備」フィールドは、上述したフィールドにて指定可能な情報以外の情報をさらに指定する必要がある場合に、適宜指定されるフィールドである。
【０１４７】
なお、サブ表示装置内コマンドを送信するにあたり、上述したフィールドを全て使用する必要はなく、使用しないフィールドには無効値（ＮＵＬＬ値など）を設定しておけばよい。
【０１４８】
また、ユーザが指やペンなどでタッチした位置の座標データを取得したいときは、「データ種別」フィールドに“座標”を指定したサブ表示装置内コマンドをデータ処理部７３０に送信することとなるが、指やペンなど動きを検出したい場合には、さらに、当該サブ表示装置内コマンドの「データ取得タイミング」フィールドに“オール”を指定し、座標データを取得するようにすることが望ましい。また、この場合には、タッチした位置の座標データが取得できればよいため、スキャンの精度は高くなくてもよい。したがって、上記サブ表示装置内コマンドの「スキャン解像度」フィールドの値は“低”を指定しておけばよい。
【０１４９】
また、サブ表示装置内コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【０１５０】
また、原稿などの対象物の画像データを取得する場合、「データ種別」フィールドに“全体画像”を指定したサブ表示装置内コマンドをデータ処理部７３０に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「スキャン解像度」フィールドには“高”を指定することが望ましい。
【０１５１】
（装置間コマンド）
次に、図１０および図１１を参照しながら、装置間コマンドのフレーム構造について説明する。まず、図１０は、装置間コマンドのフレーム構造の一例を示す模式図である。図示のように、装置間コマンドは、先頭から順に、「ヘッダ」フィールド、「第０」から「第５」までの各フィールド、および、「予備」フィールドを含んでいる。
【０１５２】
「ヘッダ」フィールドは、装置間コマンドのフレームの開始を示すフィールドである。フレームの開始であることが識別可能であれば、ヘッダフィールドの値は、どのような値であってもよい。
【０１５３】
次に、「第０」フィールドは、装置間コマンドの種類を識別するための「コマンド識別子」を指定するフィールドである。
【０１５４】
コマンド識別子の値が“000”である装置間コマンドを、ここでは「スキャンコマンド」と称する。スキャンコマンドは、メイン表示装置２１０が、センサ付きサブ表示装置２３０に対して、センサ内蔵液晶パネル３０１の近傍に位置する対象物のスキャンを行なわせるために、メイン側主制御部８１０からサブ側主制御部８３０に送信される。なお、スキャンコマンドを受信したサブ側主制御部８３０は、スキャンコマンドから第０フィールドを取り除くことによって、スキャンコマンドをサブ表示装置内コマンドに変換するとともに、当該変換後のサブ表示装置内コマンドをデータ処理部７３０に送信する。
【０１５５】
また、コマンド識別子の値が、“001”である装置間コマンドを、ここでは「表示コマンド」と称する。表示コマンドは、メイン表示装置２１０が、センサ付きサブ表示装置２３０に対して、表示／光センサ部３３０に写真やアイコンなどの画像データの表示を行なわせるために、メイン側主制御部８１０からサブ側主制御部８３０に送信される。
【０１５６】
また、コマンド識別子の値が、“010”である装置間コマンドを、ここでは「処理コマンド」と称する。処理コマンドは、センサ付きサブ表示装置２３０およびメイン表示装置２１０のいずれかが、相手側に所定処理を実行させるために、メイン側主制御部８１０とサブ側主制御部８３０との間で送受信される。
【０１５７】
次に、「第１」から「第５」までの各フィールドに指定可能な情報は、スキャンコマンド、表示コマンド、および処理コマンドのそれぞれで異なる。第１から第５までの各フィールドに指定可能な情報については、後述する。
【０１５８】
次に、「予備」フィールドは、上述した各フィールドにて指定可能な情報以外の情報をさらに指定する必要がある場合に、適宜指定されるフィールドである。
【０１５９】
なお、上述した各フィールドを全て使用する必要はなく、使用しないフィールドには無効値（ＮＵＬＬ値など）を設定しておけばよい。
【０１６０】
次に、図１１を参照しながら、スキャンコマンド、表示コマンド、および処理コマンドのそれぞれについて、各フィールドに指定可能な情報について説明する。図１１は、スキャンコマンド、表示コマンド、および処理コマンドのそれぞれについて、各フィールドに指定可能な情報を示す説明図である。
【０１６１】
図示のように、スキャンコマンドでは、第１から第５フィールドに、「データ取得タイミング」、「データ種別」、「スキャン方式」、「スキャン画像階調」、および「スキャン解像度」を指定することができる。なお、スキャンコマンドの第１から第５までの各フィールドに指定可能な情報は、サブ表示装置内コマンドの各フィールドに指定可能な情報と同じである。
【０１６２】
なお、スキャンコマンドの第１から第５フィールドに指定可能な情報と、サブ表示装置内コマンドの各フィールドに指定可能な情報とを同じにしていることによって、スキャンコマンドを受信したサブ側主制御部８３０が、メイン側主制御部８１０から受信したスキャンコマンドの第０フィールドを取り除くだけで、当該受信したスキャンコマンドをサブ表示装置内コマンドに変換することができるようにしている。
【０１６３】
また、表示コマンドでは、第１および第２フィールドに、「表示個数」、および「表示データ／表示位置」を指定することができる。なお、第３から第５フィールドは使用されない（ＮＵＬＬ値である）。
【０１６４】
また、処理コマンドでは、第１から第３フィールドに、「実行処理種別」、「引数個数」、および「引数情報」を指定することができる。なお、第４および第５フィールドは使用されない（ＮＵＬＬ値である）。
【０１６５】
次に、図１２から図１４を参照しながら、スキャンコマンド、表示コマンド、および処理コマンドのそれぞれについて、各フィールドに指定可能な値の一例、および、その概要を説明する。
【０１６６】
図１２は、スキャンコマンドの第１から第５フィールドに指定可能な値の一例、および、その概要の説明図である。図示のとおり、スキャンコマンドの第１から第５までの各フィールドは、サブ表示装置内コマンドの各フィールドと同じであるので、ここでは説明を省略する。
【０１６７】
次に、表示コマンドについて説明する。図１３は、表示コマンドの第１および第２フィールドに指定可能な値の一例、および、その概要の説明図である。
【０１６８】
表示コマンドの第１フィールド（表示個数）は、センサ付きサブ表示装置２３０の表示／光センサ部３３０に表示させるデータの数を指定するフィールドである。つまり、第２フィールド（表示データ／表示位置）に指定する組の数を示すものである。
【０１６９】
表示コマンドの第２フィールド（表示データ／表示位置）は、センサ付きサブ表示装置２３０の表示／光センサ部３３０に表示させる画像データそのものと、当該データの表示位置（座標）との組を示すフィールドである。複数の画像データを表示させる場合、第２フィールドには、上記組を複数指定する。
【０１７０】
次に、処理コマンドについて説明する。図１４は、処理コマンドの第１から第３フィールドに指定可能な値の一例、および、その概要の説明図である。
【０１７１】
処理コマンドの第１フィールド（実行処理種別）は、処理コマンドの送信先の主制御部に実行させる処理（各種アプリケーション、ミドルウェア、ＯＳ等）の識別情報を指定するフィールドである。当該識別情報は、処理が識別可能なものであれば、どのような値であってもよい。
【０１７２】
処理コマンドの第２フィールド（引数個数）は、第１フィールドにて指定した識別情報で示される処理が、起動時または起動後に用いる各種情報（引数）の個数を指定するフィールドである。つまり、第３フィールド（引数情報）に指定するデータの数を示すものである。
【０１７３】
処理コマンドの第３フィールド（引数情報）は、第１フィールドにて指定した識別情報で示される処理が、起動時または起動後に用いる各種情報（引数）を指定するフィールドである。
【０１７４】
起動時に用いる情報とは、例えば、第１フィールドにて指定された所定処理の動作モードや、表示領域などを指定するパラメータなどが挙げられる。
【０１７５】
また、起動後に用いる情報とは、例えば、第１フィールドに文字認識アプリケーションが指定されている場合、当該文字認識アプリケーションが文字認識する対象の画像データなどが挙げられる。また、第１フィールドにファイル転送アプリケーションが指定されている場合、当該ファイル転送アプリケーションが転送する対象のファイルなどが挙げられる。
【０１７６】
（全体画像データ／部分画像データ／座標データ）
次に、図１５を参照しながら、全体画像データ、部分画像データ、および座標データについて、例を挙げて説明する。図１５（ａ）に示す画像データは、対象物がセンサ内蔵液晶パネル３０１上に置かれていないときに、センサ内蔵液晶パネル３０１全体をスキャンした結果として得られる画像データである。また、図１５（ｂ）に示す画像データは、ユーザが指でセンサ内蔵液晶パネル３０１をタッチしているときに、センサ内蔵液晶パネル３０１全体をスキャンした結果として得られる画像データである。
【０１７７】
ユーザが指でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１７８】
図１５（ｂ）に示す画像データでは、図１５（ａ）に示す画像データと比べると、ユーザの指に該当する部分の画素値の明度が高くなっている。そして、図１５（ｂ）に示す画像データにおいて、明度が所定の閾値より大きく変化している画素値を全て含む最小の矩形領域（領域ＰＰ）が、“部分画像データ”である。
【０１７９】
なお、領域ＡＰで示される画像データが、“全体画像データ”である。
【０１８０】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１８１】
（センサ内蔵液晶パネルの構成）
次に、図１６を参照しながら、センサ付きサブ表示装置２３０が備えるセンサ内蔵液晶パネル３０１の構成、および、センサ内蔵液晶パネル３０１の周辺回路３０９の構成について説明する。図１６は、表示／光センサ部３３０の要部、特に、センサ内蔵液晶パネル３０１の構成および周辺回路３０９の構成を示すブロック図である。
【０１８２】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１８３】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１８４】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１８５】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１８６】
光センサ回路３２にて光の強度に応じた電圧を出力させるためには、まず、コンデンサ３５の一方の電極に接続されているセンサ読み出し線ＲＷiと、フォトダイオード６のアノード端子に接続されているセンサリセット線ＲＳiとに所定の電圧を印加する。この状態において、フォトダイオード６に光が入射されると、入射した光量に応じた電流がフォトダイオード６に流れる。そして、当該電流に応じて、コンデンサ３５の他方の電極とフォトダイオード６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１８７】
次に、センサ内蔵液晶パネル３０１の周辺回路である、液晶パネル駆動回路３０４、光センサ駆動回路３０５、およびセンサ出力アンプ４４について説明する。
【０１８８】
液晶パネル駆動回路３０４は、画素回路３１を駆動するための回路であり、走査信号線駆動回路３０４１およびデータ信号線駆動回路３０４２を含んでいる。
【０１８９】
走査信号線駆動回路３０４１は、液晶パネル制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１９０】
データ信号線駆動回路３０４２は、液晶パネル制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１９１】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１９２】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１９３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９４】
例えば、上記実施形態では、サブ表示装置２３０として、光センサ内蔵のタッチパネルを利用しているが、表示出力を行う表示パネルのみでも、或いは、位置検出を行うタッチパッドのみでも、本発明を適用することができる。また、タッチパッドとして、抵抗膜方式、静電容量方式など、公知の位置検出方式を適用してもよい。
【０１９５】
最後に、メイン表示装置２１０およびセンサ付きサブ表示装置２３０の各ブロック、特に、メイン側主制御部８１０、サブ側主制御部８３０、データ処理部７３０、表示／光センサ回路制御部６３０は、ハードウェアロジックによって構成してもよいし、次のようにＣＰＵを用いてソフトウェアによって実現してもよい。
【０１９６】
すなわち、メイン表示装置２１０およびセンサ付きサブ表示装置２３０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるメイン表示装置２１０およびセンサ付きサブ表示装置２３０の制御プログラムのプログラムコード（実行形式プログラム、中間コードプログラム、ソースプログラム）をコンピュータで読み取り可能に記録した記録媒体を、メイン表示装置２１０およびセンサ付きサブ表示装置２３０に供給し、そのコンピュータ（またはＣＰＵやＭＰＵ）が記録媒体に記録されているプログラムコードを読み出し実行することによっても、達成可能である。
【０１９７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９８】
また、メイン表示装置２１０およびセンサ付きサブ表示装置２３０を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９９】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２００】
本発明は、キーボードを備えた情報処理装置に適用でき、特に、ノート型ＰＣなど、キーボードおよびタッチパッドを備えた情報処理装置に好適に適用できる。
【図面の簡単な説明】
【０２０１】
【図１】本発明の一実施形態である２画面表示装置における枠体に関する構成を示す断面図である。
【図２】同図（ａ）は、２画面表示装置の具体例を示す模式図であり、同図（ｂ）は、同図（ａ）に示した２画面表示装置の具体例において、メイン表示装置とセンサ付きサブ表示装置とを分離した状態を示す模式図である。
【図３】上記センサ付きサブ表示装置が備えるセンサ内蔵液晶パネルの断面を模式的に示す図である。
【図４】同図（ａ）は、反射像を検知することにより、ユーザがタッチした位置を検出する様子を示す模式図であり、同図（ｂ）は、影像を検知することにより、ユーザがタッチした位置を検出する様子を示す模式図である。
【図５】上記メイン表示装置およびセンサ付きサブ表示装置の要部構成を示すブロック図である。
【図６】上記センサ付きサブ表示装置が備える表示／光センサ部、表示／光センサ回路制御部、およびデータ処理部のより詳細な構成を示すブロック図である。
【図７】上記センサ付きサブ表示装置が備える表示部および表示回路制御部の構成例を示すブロック図である。
【図８】サブ表示装置内コマンドのフレーム構造の一例を模式的に示す図である。
【図９】サブ表示装置内コマンドに含まれる各フィールドに指定可能な値の一例、および、その概要を説明する図である。
【図１０】装置間コマンドのフレーム構造の一例を示す模式図である。
【図１１】スキャンコマンド、表示コマンド、および処理コマンドのそれぞれについて、各フィールドに指定可能な情報を示す説明図である。
【図１２】スキャンコマンドの第１から第５フィールドに指定可能な値の一例、および、その概要の説明図である。
【図１３】表示コマンドの第１および第２フィールドに指定可能な値の一例、および、その概要の説明図である。
【図１４】処理コマンドの第１から第３フィールドに指定可能な値の一例、および、その概要の説明図である。
【図１５】同図（ａ）は、対象物がセンサ内蔵液晶パネル上に載置されていないときに、センサ内蔵液晶パネル全体をスキャンした結果として得られる画像データの一例を示す図であり、同図（ｂ）は、ユーザが指でセンサ内蔵液晶パネルをタッチしているときに、センサ内蔵液晶パネル全体をスキャンした結果として得られる画像データの一例を示す図である。
【図１６】上記表示／光センサ部の要部、特に、センサ内蔵液晶パネルの構成および周辺回路の構成を示すブロック図である。
【図１７】同図（ａ）・（ｂ）は、２画面表示装置における保持機構の詳細を示す正面図である。
【図１８】２画面表示装置の本体および蓋体を閉じるときに、蓋体と枠体とが衝突する様子を示す側面図である。
【図１９】サブ表示装置を枠体に取り付ける方法を示す斜視図である。
【図２０】同図（ａ）〜（ｃ）は、サブ表示装置を枠体に取り付ける方法を示す断面図である。
【符号の説明】
【０２０２】
２００  ２画面表示装置
２１０  メイン表示装置（入力装置）
２３０  センサ付きサブ表示装置（デバイス）
３０１  センサ内蔵液晶パネル（入力操作部）
９２０  キーボード
１０００  本体
１００１  蓋体
１０１０  枠体（取付部材）
１０１１  透明板
１０２０  チルト機構
１０２１  ヒンジ
１０２２  板バネ（付勢部材）
１０２３  保持機構
１０２４  電力供給端子
１０３０  突出板
１０３１  当接部
１０３２  当接子
１０３３  コイルバネ
【図１】
2010108450.tif 000003
【図２】
2010108450.tif 000004
【図３】
2010108450.tif 000005
【図４】
2010108450.tif 000006
【図５】
2010108450.tif 000007
【図６】
2010108450.tif 000008
【図７】
2010108450.tif 000009
【図８】
2010108450.tif 000010
【図９】
2010108450.tif 000011
【図１０】
2010108450.tif 000012
【図１１】
2010108450.tif 000013
【図１２】
2010108450.tif 000014
【図１３】
2010108450.tif 000015
【図１４】
2010108450.tif 000016
【図１５】
2010108450.tif 000017
【図１６】
2010108450.tif 000018
【図１７】
2010108450.tif 000019
【図１８】
2010108450.tif 000020
【図１９】
2010108450.tif 000021
【図２０】
2010108450.tif 000022